(57)【要約】【課題】本発明は、装置の両面に設けられた広告等の表示部材を片方の扉側から容易に取り付けあるいは取り外し可能とした情報表示装置を提供することを目的とした。【解決手段】情報表示装置１の本体部１１の内部において、本体部１１の高さ方向上方あるいは下方に回転部材４を設け、高さ方向下方あるいは上方にそれぞれ少なくとも１つずつ補助部材６、及び補助部材７ｆ又は７ｇを設け、それらに長尺状の運搬手段１０を保持させ、回転可能とし、その運搬手段１０に表示部材１８，１９を固定し、一方の扉部１２側から表示部材１８，１９を取り付けあるいは取り外し可能とした構成とする。【選択図】図１
2009271120.tif 000002
【特許請求の範囲】
【請求項１】
シート状の基材に文字や図形が表示された表示部材を取り付けることによって情報表示可能な情報表示装置であって、前記情報表示装置は、枠型の本体部と、少なくとも１つの扉部を有し、情報表示装置の前記扉部側及び扉部の裏面側の双方から内部の表示部材を目視可能であり、前記本体部の内部には、前記表示部材を取付け可能であって長手方向に移動可能な長尺状の運搬手段があり、当該運搬手段は本体部材の内部を前記扉部側から裏面側にかけて環状に取り巻き、扉部側から表示部材を運搬手段に取り付けて運搬手段を動作させることにより、表示部材を扉部の裏面側に至らしめることができることを特徴とする情報表示装置。
【請求項２】
運搬手段は、ベルト、チェーン、ロープ、ワイヤーのいずれかであり、運搬手段は、本体部内に設けられた係合手段に係合して前記扉部側から裏面側にかけて環状に取り巻き、運搬手段は複数条設けられていてそれらが同期的に動作することを特徴とする請求項１に記載の情報表示装置。
【請求項３】
係合手段の少なくとも一つに本体部の外部から回転ハンドルを取り付け可能であり、前記回転ハンドルを介して前記係合手段を回転させることができることを特徴とする請求項２に記載の情報表示装置。
【請求項４】
前記本体部内部には、テンション部材が設けられ、前記テンション部材は、前記本体部の上部あるいは下部に位置し、前記テンション部材は、前記運搬手段の一方の面を押圧することで前記運搬手段に一定の張力を発生させ、前記張力を維持することが可能であると共に運搬手段の移動を阻止することができることを特徴とする請求項１乃至３のいずれかに記載の情報表示装置。
【請求項５】
前記運搬手段は、伸縮部材を有し、前記伸縮部材は、前記運搬手段の中途に設けられていることを特徴とする請求項１乃至４のいずれかに記載の情報表示装置。
【請求項６】
前記本体部内部には、照明器具が設けられており、前記照明器具は、前記本体部の側面に挟まれて支持されていることを特徴とする請求項１乃至５のいずれかに記載の情報表示装置。
【発明の詳細な説明】
【技術分野】
【０００１】
本発明は、広告等のポスター等に表示された情報を本体の表裏両面に表示可能な情報表示装置に関するものであり、特には片面のみに設けた扉からポスター等を取り付けあるいは取り外し可能な情報表示装置に関するものである。
【背景技術】
【０００２】
情報表示装置は、商品の宣伝や映画館の上映内容の表示、あるいはサッカーや陸上競技場等での宣伝のために使用されるものであり、広告媒体を設置できるものである。
情報表示装置は、内部にポスターの様な広告等の表示部材と照明器具とを備え、情報が表示される側に光を照射したり、ポスター等の背面側から光を透過させ、広告等の視認性を上げる工夫がなされている。
【０００３】
ところで従来の情報表示装置は、片方向のみに情報を表示したものが多い。その様な情報表示装置は、装置の片面側に大きな扉を有し、片面の扉を開いて情報表示装置内部に設けられた固定板に広告等のポスターを貼り付ける構造のものが一般的である。
また、情報表示装置の表裏面の双方に情報を表示可能なものも知られており、この様な裏面側にも情報が表示された装置であれば、それぞれの情報表示面側に扉を設けていることが一般的である。すなわち表裏の両面に扉し、当該扉を開いて内部にポスター等を設置する構成のものが一般的である。
従来技術の様な構造の情報表示装置を使用する場合は、表裏各々の扉側から広告等を取り付けまたは取り外さなければならない。
【０００４】
特許文献１には、上記した様な、装置の表裏両方向から情報が表示される情報表示装置が開示されている。
【特許文献１】特開２００１−２８２１４８号公報
【発明の開示】
【発明が解決しようとする課題】
【０００５】
しかし、特許文献１のような情報表示装置は、装置の略中央、つまり表示部材に挟まれた位置に照明器具等が設けられているため、情報を取り付ける個所が２つに分断されている。そのため、それぞれの扉側から新しい広告等の表示部材を取り付けまたは取り替える煩わしさが生じる。
また、情報表示装置を設置する場所の条件によっては、片方の扉を開けることが困難で、広告等を取り付けることができない問題が生じる。
【０００６】
そこで本発明は、上述した欠点に鑑み、片方の扉側から広告等の表示部材を容易に取り付けあるいは取り外しを行うことを可能とした情報表示装置を提供することを課題とする。
【課題を解決するための手段】
【０００７】
上記課題を解決するための請求項１の発明は、シート状の基材に文字や図形が表示された表示部材を取り付けることによって情報表示可能な情報表示装置であって、前記情報表示装置は、枠型の本体部と、少なくとも１つの扉部を有し、情報表示装置の前記扉部側及び扉部の裏面側の双方から内部の表示部材を目視可能であり、前記本体部の内部には、前記表示部材を取付け可能であって長手方向に移動可能な長尺状の運搬手段があり、当該運搬手段は本体部材の内部を前記扉部側から裏面側にかけて環状に取り巻き、扉部側から表示部材を運搬手段に取り付けて運搬手段を動作させることにより、表示部材を扉部の裏面側に至らしめることができることを特徴とする情報表示装置である。
【０００８】
本発明における情報表示装置は、表示部材を運搬手段に粘着材や糊等で容易に固定できるので、作業手間が少ない。また扉部側から表示部材を運搬手段に取り付けて運搬手段を動作させることにより、表示部材を裏面側に至らしめることができるので、情報表示装置に設けられた１カ所の扉部から装置の両面における表示部材の取り付け及び取り外しが可能となる。つまり、本体部の内部において、表示部材が扉部側と裏面側を回転するように往来する。そのため情報表示装置の一方側（扉部側）だけに作業スペースを確保すれば足り、従来の様に情報表示装置の両側に、扉が開く空間を確保する必要がないので、作業の煩わしさを生じさせることがない。
また装置の両面に情報を表示でき、且つ片側からの作業によって表裏両面の表示を変更することができるので、従来の情報表示装置では設置が困難であった、裏面側に除去不能な障害物が存在する様な場所にも本発明の情報表示装置を設置することができる。
そのため本発明の情報表示装置は、従来の情報表示装置に比べて設置に要する条件が緩和され、従来設置では到底設置することができないような場所への設置検討が可能となる。
【０００９】
請求項２に記載の発明は、運搬手段は、ベルト、チェーン、ロープ、ワイヤーのいずれかであり、運搬手段は、本体部内に設けられた係合手段に係合して前記扉部側から裏面側にかけて環状に取り巻き、運搬手段は複数条設けられていてそれらが同期的に動作することを特徴とする請求項１に記載の情報表示装置である。
【００１０】
本発明の情報表示装置では、運搬手段が複数条設けられている。そのため運搬手段は、ポスター等の表示部材を、ある程度の幅をもって保持することができる。また運搬手段は同期的に動作するので、運搬手段を移動させるときに表示部材にしわができない。
【００１１】
請求項３に記載の発明は、係合手段の少なくとも一つに本体部の外部から回転ハンドルを取り付け可能であり、前記回転ハンドルを介して前記係合手段を回転させることができることを特徴とする請求項２に記載の情報表示装置である。
【００１２】
本発明の情報表示装置は、本体部の外部に回転ハンドルを取り付け可能とすることで、本体部内部を広く有効に利用でき、容易に運搬手段を回転させることができる。また回転ハンドルを取り外し可能とすれば、いたずら防止としても有効になる。
【００１３】
請求項４の発明は、前記本体部内部には、テンション部材が設けられ、前記テンション部材は、前記本体部の上部あるいは下部に位置し、前記テンション部材は、前記運搬手段の一方の面を押圧することで前記運搬手段に一定の張力を発生させ、前記張力を維持することが可能であると共に運搬手段の移動を阻止することができることを特徴とする請求項１乃至３のいずれかに記載の情報表示装置である。
【００１４】
請求項４の情報表示装置は、テンション部材により、一定の張力を運搬手段に付与することができる。それに伴い、運搬手段に固定された表示部材は、しわや撓み等が生じ難くなる。つまり、視認者にとって見やすい姿勢となり、的確に情報を表示できる。またテンション部材は、発生させた張力を維持できる構成であるため、しわが無い状態を維持できる。さらにテンション部材によって運搬手段の移動を阻止することができるので、衝撃等によって表示部材の位置がずれることがない。さらにいたずら防止にも有効である。
【００１５】
請求項５の発明は、前記運搬手段は、伸縮部材を有し、前記伸縮部材は、前記運搬手段の中途に設けられていることを特徴とする請求項１乃至４のいずれかに記載の情報表示装置である。
【００１６】
請求項５の情報表示装置は、伸縮部材を有しているので、運搬手段には常時張力が掛かる。そのため、長尺運搬手段に固定された表示部材は、張力によりピンと張られた状態となり、細かいしわ等も生じない。
【００１７】
請求項６の発明は、前記本体部内部には、照明器具が設けられており、前記照明器具は、前記本体部の側面に挟まれて支持されていることを特徴とする請求項１乃至５のいずれかに記載の情報表示装置である。
【００１８】
請求項６の情報表示装置は、照明器具が本体部の側面に支持されることで、表示部材が照明器具に干渉されることなく取り付け及び取り替えが可能となる。ここで、従来の装置の場合、本体部の略中央に設けられた照明器具は、本体部内部の高さ方向の長さいっぱいに設置されていた。そのため、装置の両面に情報を表示する場合、それぞれの面に扉を設け、それぞれの扉から表示部材を取り付ける必要があった。しかし、本発明では、照明器具が本体部の側面によって支持されているので、本体部上方及び下方の中央に空間が形成され、表示部材が扉部側とそれと対面する側を往来することが可能となり、表示部材の容易な取り替えができる構成となる。
【発明の効果】
【００１９】
本発明の情報表示装置は、表示部材を片方の扉部側から容易に取り付けあるいは取り外すことができる効果がある。
【発明を実施するための最良の形態】
【００２０】
次に本発明の実施形態である情報表示装置１について図面を参照にしながら詳細に説明する。図１は、本発明の実施形態である情報表示装置１（以下、装置１とも言う）の斜視図である。情報表示装置１は、本体部１１と扉部１２で構成されている。
情報表示装置１は、本体部１１内部に取り付けられた広告等の表示部材１８，１９によって、視認者が表示された情報を認識できるものである。
【００２１】
図１に示すように、扉部１２は、本体部１１の枠型の正面と略同じ面積を持つ。扉部１２と本体部１１の間にはヒンジが設けられており、扉部１２は本体部１１に対して開閉可能である。また扉部１２には、オイルダンパー１３が設けられており、扉部１２を開閉する際の衝撃が和らげられる。
なお本実施形態では、オイルダンパー１３は本体部１１に対して上方側近傍で、枠の内部側面に１つずつ設けられている。そのため、扉部１２は本体部１１の下部側から開く。
また、扉部１２の外部側には、扉部１２の枠を覆うように扉部１２と略同じ大きさの板状の透明部材３２が設けられている。透明部材３２は、ガラスやアクリル樹脂等の透明性が高いものが採用されている。
【００２２】
図２に示すように、本体部１１は枠型であり、さらに本体部１１の内部には、２個の表示部材１８，１９と照明器具３と回転部材４と下部補助部材６と上部補助部材７ｆ，７ｇとテンション部材９と長尺状の運搬手段１０と、裏面側の透明部材３１が設けられている。
表示部材１８，１９は、図４に示すように、情報表示装置１の両面に表示され、情報表示装置１の表裏面から視認可能である。
表示部材１８，１９は、ポスターの様に紙や樹脂の基材に文字や図形が表示されたものである。基材は、樹脂フィルムの様に透光性を有するものであってもよく、厚紙の様に光を通さないものであってもよい。
【００２３】
照明器具３は、照明部１７と上部ソケット部２３ｃと下部ソケット部２３ｄとで構成されている。照明部１７は、細長い４本の蛍光灯が採用されており、両端部が細長い略四角柱の上部ソケット部２３ｃ及び下部ソケット部２３ｄに接続されている。
本実施形態では、照明部１７に細長い蛍光灯を採用したが、本発明はこれに限定されるわけではない。ＬＥＤや水銀灯等、他の照明であっても構わない。
【００２４】
また、上部ソケット部２３ｃ及び下部ソケット部２３ｄは、図１，２に示すように、支持部材１５を介して本体部１１に固定されている。ここで支持部材１５とは、上部ソケット部２３ｃ及び下部ソケット部２３ｄを長手方向両端から挟んで固定するものである。上部ソケット部２３ｃ及び下部ソケット部２３ｄの本体部１１への固定は略同じであるため、一方の説明により他方は省略する。
支持部材１５は、張出部２１と固定部２２を有している。張出部２１は、略四角柱であり、長手方向に長さが調整可能で、固定部２２は、略板状である。
張出部２１の端部が上部ソケット部２３ｃの長手方向端部と接し、その張出部２１の端部と反対側の固定部２２が本体部１１の側面３３ａ，３３ｂと接し、上部ソケット部２３ｃを２つの支持部材１５によって両端から挟むように固定している。
【００２５】
回転部材４は、図１，２に示すように、本体部１１の高さ方向下方にあり、扉部１２側に設けられている。回転部材４は、軸３０を有し、当該軸３０に二個のベルト係合部１４ｓが設けられた構成である。前記軸３０は本体部１１の幅方向の長さと略同じ長さを有する。
前記軸３０の両端は、本体部１１の側面３３ａ，３３ｂに支持されている。また前記軸３０の一端部には、ハンドル取付部２０が設けられている。
【００２６】
ハンドル取付部２０は、本体部１１の外部（図２の左側）に突出している。つまり、本体部１１の外部から回転ハンドル５を取り付け及び取り外しが可能な構成である。図４に示すように、回転ハンドル５は、把持部２５と取付口２４を有し、取付口２４は断面形状が略四角形の穴である。
ここで本実施形態のハンドル取付部２０の断面形状は、略四角形であるが、本発明はこれに限定されるわけではない。断面形状が矩形状であれば特に形状はこだわらない。その場合、回転ハンドル５における取付口２４の断面形状と合わせることが条件となる。
【００２７】
ベルト係合部（係合手段）１４ｓは、図４に示すように、いわゆる歯付プーリで、外観が略円盤形状である。つまりベルト係合部１４ｓは、後述する長尺状の運搬手段１０が、滑ることなく円滑に回転可能な構成である。ベルト係合部１４は、回転部材４の軸３０の両端近傍にそれぞれ１つずつ設けられている。またベルト係合部１４ｓは、アルミ、スチール、ステンレス等で構成されている。
ベルト係合部（係合手段）１４ｓは、軸に対して回転方向にも軸方向にも一体的に取り付けられている。従って二つのベルト係合部（係合手段）１４ｓは同期的に回転する。ベルト係合部（係合手段）１４ｓの間隔は、表示部材１８，１９の幅と等しい。
【００２８】
下部補助部材６は、上記した回転部材４と同様の構成を持ち、軸に２個のベルト係合部１４ｔが設けられた構成であり、その軸の全長は本体部１１の幅方向に長さに相当する構成である。下部補助部材６は、本体部１１の高さ方向下方に設けられ、本体部１１の側面３３ａ，３３ｂに支持されている。つまり本実施形態の下部補助部材６は、本体部１１内部の幅と略同じ長さを有している。
ベルト係合部１４ｔは、上記したベルト係合部１４ｓと構成及び効果ともに同様であるため、省略する。
また、下部補助部材６は、本体部１１内部の側面３３ａ及び側面３３ｂからそれぞれ一端部のみが支持される構成であっても構わない。つまり装置１は、２つの下部補助部材６を有し、軸を共有しない構成であっても構わない。なお、後述する上部補助部材７ｆ，７ｇも同様である。
【００２９】
本実施形態では、二本の上部補助部材７ｆ，７ｇを有するが、両者の構成は略同じであるため、一方の説明のみとし、他方は省略する。なお、上部補助部材７ｆ，７ｇの位置関係は、両者とも本体部１１の上方で、一方の上部補助部材７ｆが扉部１２側、他方の上部補助部材７ｇが扉部１２と対向する側（裏面側）である。
【００３０】
以下、上部補助部材７ｆについて説明する。
上部補助部材７ｆは、前記した下部補助部材６と同様に、本体部１１の幅方向に長さを有する構成である。上部補助部材７ｆは、本体部１１の高さ方向上方に設けられ、本体部１１の側面３３ａ，３３ｂに支持されている。つまり本実施形態の上部補助部材７ｆは、本体部１１内部の幅と略同じ長さを有している。
【００３１】
また、上部補助部材７ｆ，７ｇは、上記した下部補助部材６と同様にベルト係合部１４ｕ，１４ｖを有する。なお、ベルト係合部１４ｕ，１４ｖは、上記したベルト係合部１４ｔと構成及び効果ともに同様であるため、省略する。
【００３２】
テンション部材９は、図１，４に示すように、棒状で、本体部１１の幅方向と同一の長さを有するものでる。またテンション部材９の両端には、ピン等の接続穴（図示しない）が設けられている。テンション部材９の両端は、本体部１１に直接支持されておらず、テンション部材９は、本体部１１に対して自由度を持つ。
【００３３】
つまり、図５（ａ），（ｂ）に示すように、テンション部材９の一端は、レバー部材３５を介して、間接的に側面３３ｂに支持されており、テンション部材９の一端は、同様の図示しないレバー部材に支持されているか、あるいは図示しないリンク機構によって水平姿勢を維持して平行移動する。
詳しく説明すると、前記したテンション部材９とは別にレバー部材３５があり、レバー部材３５は中間部を支点として揺動する。そしてレバー部材３５の先端にテンション部材９の端部が接続されている。
すなわちレバー部材３５の中間部が、回転部材４と同軸に揺動可能に接続され、且つレバー部材３５の一端部がテンション部材９の端面部に接続されている。このとき、レバー部材３５の他端部は、扉部１２側に突出した構成である。
また本体部１１の側面３３ａあるいは側面３３ｂには、レバー部材３５を高さ方向下方に移動させた状態を維持させるロック部（図示しない）が設けられている。ロック部は、レバー部材３５と係合する構成である。
【００３４】
さらに本実施形態では、レバー部材３５をロックした際、さらに長尺状の運搬手段１０を回りにくくするため、図５（ｂ）に示すように、テンション部材９の上方で、運搬手段１０を挟める位置にロックプレート３８を設けている。ロックプレート３８は、スチール等の板状のものであり、本体部１１の側面３３ａあるいは側面３３ｂによって支持されている。またロックプレート３８は、２条の運搬手段１０のそれぞれの上方に設けてもいいし、片方のみでも構わない。
【００３５】
運搬手段１０は、図４に示すように歯付の長尺状のベルトであり、上記したベルト係合部１４ｓ等に形成された凹凸形状に回転しながら嵌る凹凸形状を有する構成である。また、運搬手段１０の中途には２つの伸縮部材８が設けられている。なお本実施形態では、この伸縮部材８は、扉部１２側と扉部１２と対向する側に位置するように設けられている。運搬手段１０は、ゴムやポリウレタン等によって構成されている。本実施形態の長尺状の運搬手段１０は、伸縮部材８を介して環状に形成されている。
【００３６】
伸縮部材８は、上記したテンション部材９により運搬手段１０に張力を発生させることで伸びるものである。これにより、運搬手段１０に固定された表示部材１８，１９が常時一定の張力を有し、しわや撓みを生じる問題がなくなる。伸縮部材８は、運搬手段１０よりも弾性率が低いものが効果的である。
【００３７】
透明部材３１は、図１，３に示すように、上記した扉部１２に設けられた透明部材３２と略同程度の大きさ及び部材で構成されている。
また、本体部１１の側面３３ａ，３３ｂには、上記した扉部１２に接続されたそれぞれのオイルダンパー１３の端部がヒンジを介して接続されている。これによって、扉部１２が本体部１１に対して開閉可能となる。
【００３８】
次に図面を参照にして、本実施形態の情報表示装置１における各部材の組み合わせ構成について詳細に説明する。
【００３９】
図１に示すように、情報表示装置１は、略中央に照明器具３が設けられており、照明部１７を両端から挟むように接続された上部ソケット部２３ｃ及び下部ソケット部２３ｄが、支持部材１５を介して本体部１１の側面３３ａ，３３ｂに固定されている。このような構成であるため、本体部１１の内部の高さ方向上方及び下方は、空間が形成され、その空間に運搬手段１０及び表示部材１８，１９が通される。言い換えれば、本体部１１の内部において、下部ソケット部２３ｄより下方に回転部材４及び下部補助部材６及びテンション部材９が設けられ、上部ソケット部２３ｃより上方に上部補助部材７ｆ，７ｇが設けられている。
【００４０】
ここで、長尺状の運搬手段１０と回転部材４と下部補助部材６と上部補助部材７ｆ，７ｇとテンション部材９の位置関係を説明する。
運搬手段１０は、下部補助部材６及び上部補助部材７ｆ，７ｇ及び回転部材４を頂点として、懸架されて回転する。
そして運搬手段１０は、回転部材４、下部補助部材６、上部補助部材７ｆ，７ｇの４者と係合し、本体部１１内部の両側部にあって、本体部１１の内部を扉部１２側から裏面側にかけて環状に取り巻いている。
下部補助部材６及び上部補助部材７ｆ，７ｇ及び回転部材４は、運搬手段１０と係合しながら回転することとなる。
【００４１】
また、テンション部材９は、運搬手段１０に張力を発生させるものであるので、運搬手段１０の背面側に設けられている。詳しく説明すると、本実施形態では本体部１１の下部にテンション部材９を設けているので、前記下部のみの位置関係は、図５に示すように回転部材４及び下部補助部材６の下方に運搬手段１０、そしてその下方にテンション部材９が配置された構成である。
【００４２】
また、本実施形態では、表示部材１８，１９は異なる２つの広告あるいはポスター等であっても、環状の運搬手段１０に固定するため、回転ハンドル５を回転させることで表示部材１８，１９を扉部１２側とそれと対向する側とを往来させることができ、容易に本体部１１への取り付け及び取り外しが可能である。図１に示すように、回転ハンドル５は、本体部１１の外部から取り付け及び取り外すことができる。
【００４３】
上記より照明器具３は、環状に設けられた長尺状の運搬手段１０及び長尺状の運搬手段１０に固定された両面の表示部材１８，１９によって挟まれる構成である。
つまり表示部材１８，１９は、図１に示すように扉部１２側と扉部１２と対向する側に固定される。このとき、伸縮部材８は、表示部材１８，１９の端部近傍と重なるように配置される。このため、伸縮部材８の張力は、表示部材１８，１９に伝わり易く、しわや撓み等が生じない。
【００４４】
そして図１に示す扉部１２が閉じられた状態（図示しない）が、視認者によって情報が確認できる状態である。このとき、扉部１２側とそれと対面する側の両方から情報を確認することが可能である。すなわち外部から透明部材３１，３２を透かして内部の表示部材１８，１９を視認することができる。
【００４５】
次に本実施形態の情報表示装置１における表示部材１８，１９の取り付け及び取り替え方法を説明する。
【００４６】
まず、初めて表示部材１８，１９を情報表示装置１に取り付ける方法を説明する。
最初に扉部１２が開く方向に力を加え、内部が外部と連通する状態にする。そのとき、本体部１１の外部に突出した回転部材４のハンドル取付部２０に回転ハンドルを取り付けておく。そして、扉部１２と対向する側（裏面側）に配置されるべき表示部材１９を運搬手段１０に固定する。なおこのとき、表示部材１９は天地を逆にした姿勢で固定する。表示部材１９の取付け方法は、糊付け、ピン止め、ネジ止め、クリップ止め等の公知の手段が採用可能である。
次に、本体部１１に取り付けた回転ハンドル５を回転させ、運搬手段１０を回転する。その結果、回転部材４に設けられた２個の二個のベルト係合部１４ｓが同期的に回転し、２条に設けられた運搬手段１０が同期的に走行する。その結果、２条の運搬手段１０に取り付けられた表示部材１９は、平行姿勢を維持しつつ、上部補助部材７ｆ，７ｇを越えて裏面側に至る。そして、最初に固定した表示部材１９が扉部１２と対向する側に到達すると、回転ハンドル５の回転を停止し、扉部１２側の新たな表示部材１８を２条の運搬手段１０に固定する。
その結果、表面の扉部１２側に表示部材１８が設けられ、背面側に表示部材１９が取り付けられ、それらの間に照明器具３が配された位置関係となる。
【００４７】
次にテンション部材９に取り付けられたレバー部材３５の端部を、高さ方向下方に力を加えることで、テンション部材９の他端が高さ方向上方に移動する。このとき、長尺の運搬手段１０が上方に押圧されるため、運搬手段１０全体に張力が発生し、それに伴い伸縮部材８が伸びる。言い換えれば、運搬手段１０に固定された表示部材１８，１９には、一定の張力が付与され、しわ等が生じない状態となる。つまり、表示部材１８，１９の姿勢や張りをわざわざ調整しなくとも視認者にとって、最も見やすい状態となる。このとき、レバー部材３５の端部は本体部１１のロック部（図示しない）に固定されている。
なおこの状態においては、図５（ｂ）の様に運搬手段１０がテンション部材９とロックプレート３８との間に挟まれ、移動が阻止される。
そして、最後に扉部１２を閉じれば終了である。
【００４８】
次に、表示部材１８，１９を新しいものと取り替える方法、あるいは取り外す方法を説明する。
まず扉部１２を開け、回転ハンドル５を取り付け、扉部１２側の表示部材１８を取り外す。そして、テンション部材９のロックを解除し、扉部１２と対向する側に新たな表示部材１８を固定する。次に回転ハンドルを回転させて裏面側の表示部材１９を扉部１２側に移動させ、古い表示部材１９を取り外す。そして、新たな裏面側の表示部材１９を固定する。後は回転ハンドル５を回転して表示部材１８，１９を所定の位置に移動させる。
【００４９】
上記実施形態の情報表示装置１では、扉部１２側とその裏面に表示部材１８，１９を別々に運搬手段１０に固定する構成を示したが、本発明はこれに限定されるわけではない。
上記した本実施形態よりも効率的に表示部材２を固定できる構成として、表示部材１８と表示部材１９を一連した１つの表示部材とする構成がある。
つまり、図６に示すように、表示部材１９と表示部材１８とを繋ぎ部２６を介して繋げる。詳しく説明すると、表示部材１９の上端部と表示部材１８の上端部の間に繋ぎ部２６を設け、裏面側の表示部材１９を天地逆に繋ぎ部２６を介して繋げる構成である。このような構成とすることで、表示部材１８，１９を別々に運搬手段１０に固定する手間が省ける。つまり、図６に示すように、一体化された表示部材１８，１９の端部を運搬手段１０に固定する。そして、回転ハンドル５を回すことで、運搬手段１０が回転し、表示部材１９側が裏面側に送られる。さらに繋ぎ部２６を介された表示部材１８が、扉部１２側に表示されるまで回転ハンドル５を回転させる。最後に、扉部１２側の端部を固定し、テンション部材９によって表示部材１８，１９に張力を掛けることで図７に示す状態となる。この構成であれば、上記した実施形態の効果以上に作業効率を上げることができる。
【００５０】
上記実施形態の情報表示装置１では、照明部１７に蛍光灯を用いて、本体部１１の高さ方向に接続されるように備えたが、本発明はこれに限定されるわけではない。
例えば照明部１７は、本体部１１の幅方向に接続されるように備えてもよい。その場合、上記した実施形態と同様に、本体部１１内部の高さ方向上方及び下方に空間が形成される構成とすることが好ましい。
【００５１】
上記実施形態の情報表示装置１では、扉部１２を開ける手段としてウイング式の構造を採用し、ショックアブソーバー構造のオイルダンパー１３を用いた構成を示したが、本発明はこれに限定されるわけではない。
例えば、扉部１２が上下左右にスライドして開く構成や、扉部１２を外すことができる構成であっても構わない。
【００５２】
上記実施形態の情報表示装置では、回転部材４及びテンション部材９が本体部１１の高さ方向下方に設けられた構成を示したが、本発明はこれに限定されるわけではない。
例えば、回転部材４及びテンション部材９、あるいは回転部材４、あるいはテンション部材９が本体部１１の高さ方向上方に設けられる構成であっても構わない。この場合、回転部材４が設けられる側には補助部材を１つ、且つ対向する側には補助部材を２つ設ける構成とし、その際テンション部材９はどちらに設けられても構わない。
【００５３】
上記実施形態の情報表示装置では、長尺状の運搬手段１０として長尺ベルトを用いる構成を示したが、本発明はこれに限定されるわけではない。
例えば、運搬手段１０として、チェーンやロープ等を用いる構成であっても構わない。その場合も、伸縮部材８等を介した環状とすることで、表示部材１８，１９に生じるしわや撓み等の問題を防止することができる。
【図面の簡単な説明】
【００５４】
【図１】情報表示装置を示す斜視図である。
【図２】図１に示す情報表示装置の本体部の正面図である。
【図３】図１に示す情報表示装置のＥ−Ｅ断面図である。
【図４】図１に示す表示部材の斜視図である。
【図５】テンション部材の使用時の段階概念図である。
【図６】図１に示す表示部材の変形例の取り付け状況斜視図である。
【図７】図１に示す表示部材の変形例の斜視図である。
【符号の説明】
【００５５】
１    情報表示装置
３    照明器具
４    回転部材
５    回転ハンドル
６    下部補助部材
７ｆ    上部補助部材
７ｇ    上部補助部材
８    伸縮部材
９    テンション部材
１０    運搬手段
１１    本体部
１２    扉部
１８，１９  表示部材
【図１】
2009271120.tif 000003
【図２】
2009271120.tif 000004
【図３】
2009271120.tif 000005
【図４】
2009271120.tif 000006
【図５】
2009271120.tif 000007
【図６】
2009271120.tif 000008
【図７】
2009271120.tif 000009